(57)【要約】      （修正有）【課題】簡素な操作により、シャッターの防水性、耐圧性および防犯性を向上させる。特に操作には熟練を必要とせず、且つ常に一定の防水性や耐圧性をシャッターに与えることができる機構を提供する。【解決手段】補強パネル１０を備えたシャッターであって、シャッター開口部を囲むように屋外側に弾性パッキン４１を設け、補強パネル１０を平面内で偏心回転させることで補強パネル１０がシャッター本体３０に圧力を生じさせ、弾性パッキン４１に強く当接させる。【選択図】図６
2014098290.tif 000002
【特許請求の範囲】
【請求項１】
上部に巻き上げ機構を有するシャッター本体と、
当該シャッター本体を閉めた状態において、その上端および左右端それぞれに対向する水平位置に所定の間隙をなして屋外側に設けれた弾性パッキンと、
当該シャッター本体を室内から屋外方向に向かう圧力を生じさせるための補強パネルと、
当該補強パネルを室内において平面内で並進および回転させるための移動機構と、
上記補強パネルの並進を制約し且つ上記補強パネルの回転中心を決めるための固定機構と、
上記補強パネルが上記シャッター本体に圧力を生じさせた状態で上記補強パネルの回転を制約する固定機構と、
を備え、
上記補強パネルの回転軸は、当該補強パネルの平面内長手方向において中心からずれた位置にあり、
上記補強パネルを平面内で回転させることで当該補強パネルが上記シャッター本体に圧力を生じさせ、上記シャッター本体全体を上記所定の間隙以上の距離を屋外方向に移動させる
ことを特徴とする津波、洪水および破壊侵入対応型防災シャッター。
【請求項２】
上記補強パネルの回転を制約する固定機構は、上記補強パネルが上記シャッター本体に略最大の圧力を生じさせた状態で上記補強パネルを固定する
ことを特徴とする請求項１に記載の津波、洪水および破壊侵入対応型防災シャッター。
【請求項３】
上記シャッター本体は、その下部に室内方向に向かって突出した座と、そのの最下部に弾性パッキンと、を備え、
上記補強パネルは、上記シャッター本体に圧力を生じさせた状態で上記シャッター本体に接する当接面の下部に、当該当接面に向けて上方斜めに切り込まれた形状のプッシュテーパを備え、
上記補強パネルを平面内で回転させることで当該補強パネルが上記シャッター本体に圧力を生じさせる際に、上記プッシュテーパが上記座を下方に押し下げる
ことを特徴とする請求項１または２に記載の津波、洪水および破壊侵入対応型防災シャッター。
【請求項４】
上記シャッター本体の開口幅方向の複数個所に上記補強パネルを設けた
ことを特徴とする請求項１から３のいずれか１項に記載の津波、洪水および破壊侵入対応型防災シャッター。
【発明の詳細な説明】
【技術分野】
【０００１】
本発明は、台風や大雨、津波等の浸水が予想される際に簡単な操作で室内への浸水を防止するシャッターに関するものであり、また、防犯性をも高めたシャッターに関する。
【背景技術】
【０００２】
東日本大震災における巨大津波による大惨事や各地における洪水被害を踏まえて、防災意識が高まり、多くの対策がなされている。しかし、水害から建物への浸水を防ぐ手段に関しては、十分なものがなく、津波の他、豪雨やそれに伴う河川の氾濫による洪水対策を急ぐ必要性がある。
【０００３】
上記の問題点に鑑み、特許文献１に開示したように、本願の発明者はいち早く新たな構造を有する防水シャッターを提案した。このシャッターは、シャッターを降ろすだけで自動的に開口部全体を防水でき、大量の水や浮遊物が押し寄せても、それらに耐え得る防水機構を有するものである。
【０００４】
この防水シャッターにおいては、シャッター本体を構成する各スラット間の連結部に横長状の弾性パッキンを介装することで、スラット間隙からの浸水を防止している。すなわち、シャッターが下降閉鎖した際に、スラットの自重で各連結部が弾性パッキンに密着することにより浸水を防止する構造を実現している。
【０００５】
また、各ガイドレールと一体部分に横断面Ｌ型状部材を立設し、各スラット両側端にＬ型状部材に掛止される逆Ｌ型状の撓み防止部材を設け、シャッター本体の外側面両側部の上・下部寄りに、倒立したＬ型状で傾斜縦面をもつ傾斜カム部材を突設し、スプリングで屋外側へ付勢された縦長状の取付枠材を設け、その屋内側面にシャッター本体外側面へ当接可能な縦長状弾性パッキンを設け、取付枠材の上・下部寄りに、下降時のシャッター本体外側面と縦長状弾性パッキンが圧接可能に、上記傾斜カム部材を受ける受け部材を設けることで、シャッター本体の左右両端からの浸水も防止している（例えば、特許文献１）。
【先行技術文献】
【特許文献】
【０００６】
【特許文献１】特開２０１０−２７５７８９号
【発明の概要】
【発明が解決しようとする課題】
【０００７】
上述の防水シャッターは、シャッターを閉める稼働により、自動的に防止効果を生じさせる優れた効果を有するものである。しかし、巨大津波による被害、あるいはシャッター上部までの浸水といった大災害を想定した場合、シャッター上部からの浸水や、大きな水圧によるシャッター本体の歪等が生じる可能性もあり、さらに防水性能を向上させることが必要である。具体的には、レール部における防水性能のさらなる向上と、水圧や浮遊物の衝突に対応できる高い耐圧性能を実現することが求められている。
【０００８】
また、近年では夜間にバール等を用いてシャッターをこじ開けるといった犯罪も増加しており、防犯性能をも有するシャッターが待望されている。
本願はこのような事情の下、さらに防水性および耐圧性に優れるとともに、防犯効果をも有したシャッターを提供するものである。
【課題を解決するための手段】
【０００９】
本発明に係る津波、洪水および破壊侵入対応型防災シャッターは、上部に巻き上げ機構を有するシャッター本体と、当該シャッター本体を閉めた状態において、その上端および左右端それぞれに対向する水平位置に所定の間隙をなして屋外側に設けれた弾性パッキンと、このシャッター本体を室内から屋外方向に向かう圧力を生じさせるための補強パネルと、この補強パネルを室内において平面内で並進および回転させるための移動機構と、上記補強パネルの並進を制約し且つ上記補強パネルの回転中心を決めるための固定機構と、上記補強パネルが上記シャッター本体に圧力を生じさせた状態で上記補強パネルの回転を制約する固定機構とを備え、
上記補強パネルの回転軸は、当該補強パネルの平面内長手方向において中心からずれた位置にあり、上記補強パネルを平面内で回転させることで当該補強パネルが上記シャッター本体に圧力を生じさせ、上記シャッター本体全体を上記所定の間隙以上の距離を屋外方向に移動させることを特徴とするものである。
【発明の効果】
【００１０】
本発明に係る津波、洪水および破壊侵入対応型防災シャッターは上記のように構成されるため、簡単な動作で短時間且つ確実にシャッターの防水性、耐圧性および防犯性を向上させることが可能である。
【図面の簡単な説明】
【００１１】
【図１】本発明に係る津波、洪水および破壊侵入対応型防災シャッターの構成を説明するための側方模式図である。
【図２】本発明に係る津波、洪水および破壊侵入対応型防災シャッターの構成を説明するための断面模式図である。
【図３】本発明に係る津波、洪水および破壊侵入対応型防災シャッターの動作を説明するための断面模式図であり、補強パネルを所定位置に引き出した状態を示す図である。
【図４】本発明に係る津波、洪水および破壊侵入対応型防災シャッターの動作を説明するための断面模式図であり、補強パネルを所定位置から回転途中の図である。
【図５】本発明に係る津波、洪水および破壊侵入対応型防災シャッターの動作を説明するための断面模式図であり、補強パネルを補強位置に設置した図である。
【図６】本発明に係る津波、洪水および破壊侵入対応型防災シャッターの動作を説明するための側方模式図であり、補強パネルを補強位置に設置した図である。
【図７】本発明の実施の形態２に係る複数の補強パネルを用いる場合の説明図である。
【発明を実施するための形態】
【００１２】
実施の形態１．
本発明に係る津波、洪水および破壊侵入対応型防災シャッターの構成や動作等に関して、以下において、図面を用いて説明する。なお、以下の説明は本発明に関する良好な一例を開示するものであり、寸法や構成材料等に関して、本発明が当該実施の形態に限定されるものではない。
【００１３】
まず、図１および図２を用いて、構成について詳述する。
図１は、シャッター構成を説明するための側方から見た模式図である。また、図２は、図１に示す一点鎖線Ｂ−Ｂにおける断面図であり、両図において、シャッター本体３０よりも左側が屋外、右側が屋内である。
【００１４】
シャッター本体３０は、シャッター開閉面３１、座３２および下部弾性パッキン３３を備えている。
シャッター開閉面３１は、それ自体が防水性能を有しており、例えば、特開２０１０−２７５７８９号において開示したようなスラットの結合で構成されたものであり、各スラット間の各連結部に、横長状の弾性パッキンを介装するといった構成であっても良い。
【００１５】
座３２は、シャッター本体３０の最下部付近に設けられ、室内側に３０ｍｍ程度出っ張った部位である。座３２は、シャッター開閉面３１に設けられ、その両端にはローラを内蔵している。このローラーはシャッターの開閉時にスラットが左右にずれるのを防ぐため、レールに沿って回転する。
【００１６】
下部弾性パッキン３３は、シャッター本体３０の最下部、すなわち、シャッター開閉面３１の直下に、シャッター開閉面３１の全幅に渡って設けられている。シャッター開閉面３１を閉めた際には、床面に当接する部位である。材質は弾性体であるゴムや樹脂である。
【００１７】
シャッター本体３０の開口部を取り囲むように、上部及び左右端に上部弾性パッキン４１および側面弾性パッキン４２ａ、４２ｂがそれぞれ設けられている。これらの弾性パッキン４１、４２ａおよび４２ｂは、シャッター本体３０に対して屋外側に設けられており、シャッター開閉面３１が開閉する際には、シャッター開閉面３１から５ｍｍ程度の間隙を有しているため、シャッター開閉面３１の開閉動作を妨げることはない。なお、材質は下部弾性パッキン３３と同様の材質でよい。上部弾性パッキン４１は開口部の全幅に渡って、側面弾性パッキン４２ａ、４２ｂは開口部の全高に渡って設けられている。
【００１８】
次に、シャッター本体３０を補強するために設けられた補強パネル１０の構成について説明する。
補強パネル１０は、パネル部１１、回転軸１２、引手部１３、ローラー部１４、２つの車輪１５ａ、１５ｂ、センターシャフト１６ａ、回転防止シャフト１６ｂ、およびプッシュテーパー１７を備えている。
【００１９】
補強パネル１０の基部となるパネル部１１は、機械強度を向上させるため、金属板の両面パネル構造を有している。ただし、必要な強度を満足できるならば、単板構造であっても良い。パネル部１１の大きさは、高さがシャッター開口高さから車輪１５ａの高さを減じた高さであり、幅が４００ｍｍ、厚みが４０ｍｍとした。ただし、シャッターの開口等に応じて、上記寸法は適宜変更すればよい。
【００２０】
回転軸１２は、後述する補強パネル１０の回転動作の軸になると同時に、後述する吊り下げ機構５２と連結する部位である。この回転軸１２は、補強パネル１０の図２における左右方向の中心ではなく、やや左方向に位置している。すなわち、図１において、ｃ＜ｄとなるような偏心した位置に設けられている。
補強パネル１０は、図２に示すように、災害時等の有事以外の未使用時においては、屋内の壁面付近に収納されている。その収納状態から補強パネル１０を引き出す際には、補強パネル１０の側面に設けられた引手部１３を持って引き出す。
【００２１】
また、補強パネル１０の一端には、パネル部１１のほぼ全高に渡ってローラー部１４が設けられている。このローラー部１４は、床面に垂直な軸回りに回転するローラーである。
補強パネル１０はその下端に２つの車輪１５ａ、１５ｂを備えており、床面内をスムースに移動できる。
【００２２】
回転軸１２の直下にはセンターシャフト１６ａが、ローラー部１４と逆側には回転防止シャフト１６ｂがそれぞれ設けられている。これらのシャフト１６ａと１６ｂは、図示しないスイッチ機構によって上下動する。
２本のシャフト１６ａと１６ｂは、後述する床面に設けられたセンターシャフト受けつぼ２０ａと回転防止シャフト受けつぼ２０ｂに、それぞれ挿入される。これらの動作については後述する。
【００２３】
また、補強パネル１０のローラー部１４側の下部には、図１に示すような斜め切込みであるプッシュテーパー１７が設けられている。
なお、ローラー部１４、およびプッシュテーパー１７を設けた理由については、後述する動作の説明において詳述する。
【００２４】
屋内床面には、センターシャフト受けつぼ２０ａと回転防止シャフト受けつぼ２０ｂが設けられている。それぞれは内部にばね機構を有しており、通常（無負荷時）は床面と面一になっているが、強い力で押し込むことが可能である。通常時には、床面と面一になって、人がつまずくことを防止できると同時に、埃や砂塵が入らないような構造になっている。図１に示すように、センターシャフト受けつぼ２０ａは室内の中央付近に、回転防止シャフト受けつぼ２０ｂは、その後方（シャッター本体３０と逆側）にそれぞれ設けられている。センターシャフト受けつぼ２０ａと回転防止シャフト受けつぼ２０ｂは、シャッター開口面に垂直な略同一直線上に位置している。
【００２５】
屋内天井部には、シャッター本体３０と平行に、図２における一点鎖線に沿ってガイドレール５１が設置され、そのガイドレール５１に沿って可動する吊り下げ機構５２が設けられている。この吊り下げ機構５２は、補強パネル１０の上部に設けられた回転軸１２と連結しており、したがって、補強パネル１０は、ガイドレール５１に沿った並進移動が可能となる。
【００２６】
また、吊り下げ機構５２あるいは回転軸１２は、回転軸１２（図１におけるＡ−Ａ軸）回りに回転可能な機構を有しており、したがって、補強パネル１０は、ガイドレール５１に沿った並進移動とともに、回転軸１２回りに回転も可能である。
【００２７】
天井部には、さらに、ローラー当り５３と上がり防止ローラー５４が設けられている。ローラー当り５３は、補強パネル１０の上部に設けれた上部ローラー１８に対応して設けられており、補強パネル１０を図５および図６に示す補強位置に設置した際に、上部ローラー１８が当接する位置にローラー当り５３が設けられている。
また、上がり防止ローラー５４はパネル部１１の上部に当接する位置に設けられている。
【００２８】
次に、本発明に係るシャッターの動作について説明する。
例えば、台風の接近が予報されている状況において、シャッター本体３０を閉じるだけでは不安であり、補強パネル１０を用いてシャッター本体３０を補強したい場合には、以下に示す手順で補強パネル１０をシャッター開閉面３１に当接させる。
【００２９】
まず、図２に示すように、補強パネル１０は、通常は屋内の壁面付近の収納スペース６０に収納されている。その収納状態から引手部１３を持って、屋内の中央付近に補強パネル１０を引き出す。引き出した状態が図１、あるいは図３である。
【００３０】
次に、補強パネル１０のセンターシャフト１６ａを図示しないスイッチ機構によって、センターシャフト受けつぼ２０ａ内に下ろし、その位置でセンターシャフト１６ａを固定する。
この動作により、補強パネル１０の並進動作はできなくなり、センターシャフト１６ａおよび回転軸１２を回転軸とした回転運動のみが可能となる。
【００３１】
次に補強パネル１０を回転させる。この回転方向は、時計回りでも反時計回りでも良い。以下では、反時計回りに回転させる際の動作を説明する。
図４に示すように、例えば反時計回りに補強パネル１０を回転させる。回転軸１２は、補強パネル１０の中心位置から偏心した位置に設けられているので、この回転動作により、補強パネル１０のローラー部１４がシャッター開閉面３１に当接する。図４は、当接し始めた状態を表している。
【００３２】
ここからさらに反時計回りに補強パネル１０を回転させ、図３の状態から補強パネル１０を１８０°回転させた状態が図５および図６の状態である。図５および図６に示すように、補強パネル１０によってシャッター開閉面３１は屋外側に押し出され、上部弾性パッキン４１と左右弾性パッキン４２ａ、４２ｂに強く当接した状態になる。
【００３３】
最後に、補強パネル１０に備えられた回転防止シャフト１６ｂを図示しないスイッチ機構によって、回転防止シャフト受けつぼ２０ｂ内に下ろし、その位置で回転防止シャフト１６ｂを固定する。このようにすることで、補強パネル１０は２点で固定され、並進とともに回転も抑止される。
【００３４】
また、これらの一連の動作により、図６に示すように、補強パネル１０の最下部付近に設けられた座３２が、補強パネル１０のプッシュテーパ１７によって下方に押される。すなわち、シャッター開閉面３１は屋外方向に押し出されるだけではなく、下方にも圧力を受け、その最下部に設けられた下部弾性パッキン３３は床面に強く当接する。
【００３５】
この際に、下部弾性パッキン３３の復元力により、補強パネル１０は、図６において、時計回りのトルクを受けるが、ローラー当り５３と上がり防止ローラー５４が設けられていることで、補強パネル１０が持ち上がることを防止している。また、シャッター開閉面３１が大きな水圧や風圧を受けて押された際にも、補強パネル１０が持ち上がることを防止している。
すなわち、ローラー当り５３と上がり防止ローラー５４があることで、補強パネル１０がシャッター開閉面３１全体に均一な強い圧力を及ぼし、また、座３２を強く押し下げることを可能にしている。
【００３６】
以上のように、実施の形態１において開示したシャッター構成においては、簡単な動作で補強パネル１０を用いたシャッター本体３０の補強が可能であり、シャッター本体３０の開口面回りに設けられたすべての弾性パッキン３３、４１、４２ａおよび４２ｂが、床面やシャッター開閉面３１と強く当接することで、外部からの浸水を完全にシャットアウトできる。
【００３７】
特に、水かさがシャッター開口面の上部まで達した場合であっても、上部弾性パッキン４１により、内部への浸水を防止できる。
また、水圧は下方ほど大きくなり、例えばシャッター開口面の最下方付近の水圧は、水かさに比例して大きくなるため、水かさがシャッター開口面の上部まで達した場合には極めて大きな水圧がシャッター開閉面３１に作用する。しかしながら、本発明に係るシャッターにおいては、補強パネル１０が、シャッター開閉面３１に室内から屋外へ向けての圧力を生じさせて支持するとともに、プッシュテーパ１７によってシャッター開閉面３１の開口面の最下方付近設けられた座３２を下方に押し下げる方向にも作用しているため、このような大きな水圧にも耐えることができる、
【００３８】
一方、防犯の観点からは、スラット自体が強度を有する構造であるため、バール等による破壊に強度を有するが、さらにプッシュテーパ１７が座３２を下方に押し込んでいるため、バール等を用いてシャッターをこじ開けることをより一層困難にしており、防犯にも有効である。したがって、水害時だけではなく、毎晩の戸締り強化のためにも使うことができる。
【００３９】
なお、補強パネル１０をシャッター開閉面３１に当接させるに際して、補強パネル１０を偏心回転させている。これについて、さらに言及したい。
他の方法としては、例えば、補強パネル１０を室内中央部から真直ぐに並進し、シャッター開閉面３１に当接させることも考えられる。この場合、補強パネル１０がシャッター開閉面３１に当接後は、各弾性パッキンの復元力により、補強パネル１０を室内中央に押し返そうとする圧力が生じる。この圧力に抗して補強パネル１０をさらに押すことはかなり腕力が必要な場合がある。特に、後述する実施の形態で示す複数の補強パネルを用いる際には、一人で複数の補強パネルを均一な圧力で押すことは困難である。
【００４０】
さらに、補強パネル１０を室内中央に押し返そうとする力が生じている状態で、補強パネル１０を固定するためにシャフトを下げるといった動作が必要となるが、上記のように強い力に抗して補強パネル１０を適正位置に静止させながら、固定のための動作を行うことは容易ではない。特に、津波が接近して一刻を争うような際には、気があせり、このような複雑な動作を失敗する場合も多い。
【００４１】
一方、補強パネル１０を偏心回転させる本発明に係る方式においては、いくつもの利点がある。
第一に、小さな力で回転が可能であるので、女性や子供でも容易に補強パネル１０を設置できる。シャッター開閉面３１を所定の距離だけ押し込むために、並進の場合に比べて、回転の場合は補強パネル１０を長い距離移動させるため、必要な力は小さくなる。
【００４２】
第二に、シャッター開閉面３１を押し込んだ状態である図５の状態では、各弾性パッキンの復元力は、補強パネル１０に直交した力となるので、左右どちらの回転に対してもトルクは生じない。そのため、容易に、回転防止シャフト１６ｂを用いて固定操作ができる。
【００４３】
第三に、必ずシャッター開閉面３１を最適な所定距離押し込んだ状態で固定できる。並進動作の場合には、力の入れ具合や個人差によって、押し込む距離がばらつくため、時にはパッキンが緩んだ状態になり、浸水の怖れが生じる。
【００４４】
このように、偏心回転動作を適用できることにより、簡単な決まりきった手順で、シャッターの補強が可能であるため、急いでいる場合であっても、失敗が無く確実に手順を遂行できる。
【００４５】
すなわち、センターシャフト１６ａを用いた固定動作により、補強パネル１０の並進運動に制約を与え、且つ補強パネル１０の回転軸の位置を予め設けられた最適位置であるセンターシャフト受けつぼ２０ａの位置とすることができるため、補強パネル１０をその位置から１８０°回転させた時に、シャッター開閉面３１の最も適切な位置を最も適切な圧力で常に押すことが可能となる。
この動作は特に熟練を必要とせず、且つ強い力も必要では無いため、老若男女を問わず、緊急時であっても容易且つ確実にシャッターの補強を行うことが可能である。
【００４６】
また、シャッター開閉面３１の最も適切な位置を最も適切な圧力で常に押すことが可能であることは、洪水等に対する備えとして極めて重要なことである。なぜなら、洪水等によって浸水が生じた場合、シャッター開口部のどこか一部に漏れが生じても、そこから室内に水が流れ込み、結果として、室内全体が浸水してしまう危険性がある。そこで、シャッター開閉面３１の最も適切な位置を押すことで、シャッター開閉面３１全体にできるだけ均一な圧力を内部から与え、漏れが生じる弱い箇所を無くすことができる。
【００４７】
さらに、シャッター開閉面３１を最も適切な圧力で押すことも大切である。シャッターはスムースに開閉を行うために、弾性パッキン４１、４２ａおよび４２ｂと離れた位置にある。そこで、補強パネル１０を用いて、シャッター開閉面３１を弾性パッキン４１、４２ａおよび４２ｂと接触する位置に押し込んだ後、さらに弾性パッキン４１、４２ａおよび４２ｂとシャッター開閉面３１との間に防水効果が得られるまで、強くシャッター開閉面３１を弾性パッキン４１、４２ａおよび４２ｂに対して所定の圧力で押し込む必要がある。一方、シャッター開閉面３１を強く押し込みすぎた場合には、シャッター開閉面３１に歪が生じてしまい、たとえば、スラット面に設けられた防水機構が破損し、そこから浸水が生じるといったことが起こる。
【００４８】
そのため、シャッター開閉面３１の押し込み量は最も適正な量にする必要がある。本発明のように偏心回転動作を用いて押し込めば、常に押し込み量を最適な量にできるとともに、それ以上の押し込みを行ってシャッター開閉面３１を破損する怖れがない。なぜならば、補強パネル１０を１８０°回転させた時が最大の押し込み量となり、その位置で、回転防止シャフト１６ｂを回転防止シャフト受けつぼ２０ｂ内に下ろして回転を制約するための固定を行うので、常に最大の押し込み位置で補強パネル１０を固定でき、また、それ以上の押し込みは原理的に起こりえない。すなわち、センターシャフト受けつぼ２０ａと回転防止シャフト受けつぼ２０ｂとを、シャッター開閉面３１に対して垂直な直線上に配置することで、上述の動作を確実に実施できる。
【００４９】
なお、本実施の形態１においては、シャッター開閉面３１との当接部にローラー部１４を用いたが、これはシャッター開閉面３１との摩擦力を小さくし、余分な力を掛けることが無いようにするためであると同時に、摩擦によるシャッター開閉面３１表面の損傷を無くし、また不快な摩擦音を生じないというメリットがある。したがって、ローラーの代わりに、表面コーティング等によって、摩擦の小さな面を当接面として設けることも一案である。座３２についても同様である。
【００５０】
ただし、ローラー部１４を用いた方が、均一に当接部に圧力を掛けられるので、シャッター開閉面３１全体をさらに均一に押すことができるという点で優っている。また、シャッター開閉面３１に擦り傷を残さないというメリットもあり、本実施の形態においては、ローラー部１４を設けている。
【００５１】
また、本実施の形態１においては、天井部にガイドレール等を設けた。これは、プッシュテーパー１７が座３２を押し下げた際に、下部弾性パッキン３３の復元力により、補強パネル１０が上部に浮き上がらないようにするための工夫である。したがって、他の方法で補強パネル１０の浮き上がりを抑止できるのであれば、この方法に限るものではない。
【００５２】
さらに、回転防止シャフト１６ｂと回転防止シャフト受けつぼ２０ｂの位置については、シャッター本体３０の近傍（センターシャフト受けつぼ２０ａとシャッター本体３０との間）に設けても、本発明と同様の効果が得られる。
【００５３】
実施の形態２．
実施の形態１においては、ひとつの補強パネル１０を用いて、シャッター本体３０を補強したが、開口幅が広いシャッターの場合には、複数個所に補強パネル１０を設けて補強を行う方がより確実に本発明の効果が得られる。
また、シャッター開口幅が広くなくても、例えば２ｍ以下のシャッター開口幅であっても、補強パネル１０を２ヶ所に設ける方が良い。シャッター開閉面３１の幅方向に対して、より均一な圧力を掛けることができるためであり、１か所だけに補強パネル１０を設ける場合に比べて、格段に耐圧性能が向上する。また、防水性能も向上する。
複数個所に補強パネル１０を設ける場合、シャッター本体３０の左右端に設けれたレールよりも１２０ｍｍから２００ｍｍ程度内側に各１個の補強パネル１０を設け、シャッター開口幅が広い場合には、その開口幅に応じて、１５００ｍｍから１８００ｍｍ間隔でいくつかの補強パネル１０を設けることが望ましい。
【００５４】
図７は、２個の補強パネル１０を用いた場合を示している。図７（ａ）は収納時の、（ｂ）は設置時の状態を表している。このように、収納時には、両側の収納スペース６０ａおよび６０ｂに各一個の補強パネル１０を収納している。また、片側に２個の補強パネル１０を収納するようにしても良い。なお、補強パネル１０が複数の場合、収納スペース６０ａ、６０ｂを個数に応じて深くすれば良い。
【００５５】
以上のように、複数個所に補強パネル１０を設けることで、シャッター開閉面３１の幅方向に対して、より均一な圧力を掛けることが可能となり、格段に耐圧性能が向上し、また、弾性パッキン４１、４２ａおよび４２ｂを均等に押し込むことで防水性能も大きく向上する。
【符号の説明】
【００５６】
１０  補強パネル
１１  パネル部
１２  回転軸
１３  引手部
１４  ローラー部
１５ａ、１５ｂ  車輪
１６ａ  センターシャフト
１６ｂ  回転防止シャフト
１７  プッシュテーパー
１８  上部ローラー
２０ａ  センターシャフト受けつぼ
２０ｂ  回転防止シャフト受けつぼ
３０  シャッター本体
３１  シャッター開閉面
３２  座
３３  下部弾性パッキン
４１  上部弾性パッキン
４２ａ、４２ｂ  側面弾性パッキン
５１  ガイドレール
５２  吊り下げ機構
５３  ローラー当り
５４  上がり防止ローラー
６０、６０ａ、６０ｂ  収納スペース
【図１】
2014098290.tif 000003
【図２】
2014098290.tif 000004
【図３】
2014098290.tif 000005
【図４】
2014098290.tif 000006
【図５】
2014098290.tif 000007
【図６】
2014098290.tif 000008
【図７】
2014098290.tif 000009